(57)【特許請求の範囲】
【請求項１】
第四級アンモニウム塩型カチオン系界面活性剤を０．２〜５重量％、含窒素型ノニオン系界面活性剤を０．５〜１０重量％及びイソパラフィン系炭化水素を７５〜９９．３重量％の割合で含有することを特徴とする掃除用液剤。
【請求項２】
イソパラフィン系炭化水素が、８０℃における蒸気圧が１０〜２００ｍｍＨｇであるものである請求項１記載の掃除用液剤。
【請求項３】
イソパラフィン系炭化水素が、式
【化１】
0004304389.tif 000026
（式中、ｎは２〜４の整数を示す。）で示されるものである、請求項１または２に記載の掃除用液剤。
【請求項４】
第四級アンモニウム塩型カチオン系界面活性剤が、モノアルキルトリメチルアンモニウム塩又はジアルキルジメチルアンモニウム塩のいずれか少なくとも１種である請求項１乃至３のいずれかに記載の掃除用液剤。
【請求項５】
含窒素型ノニオン系界面活性剤が、脂肪酸アルカノールアミド又はポリオキシエチレン脂肪酸アミドのいずれか少なくとも一方に属するものである請求項１乃至４のいずれかに記載の掃除用液剤。
【請求項６】
さらにアルコールを含む請求項１乃至５のいずれかに記載の掃除用液剤。
【請求項７】
アルコールが３−メトキシ−３−メチル−３−１−ブタノールである請求項６記載の掃除用液剤。
【請求項８】
第四級アンモニウム塩型カチオン系界面活性剤を０．２〜５重量％、含窒素型ノニオン系界面活性剤を０．５〜１０重量％、イソパラフィン系炭化水素を７５〜９８．８重量％及びアルコールを０．５〜１０重量％の割合で含有することを特徴とする請求項６又は７記載の掃除用液剤。
【発明の詳細な説明】
【０００１】
【発明の属する技術分野】
本発明は掃除用液剤に関する。より詳細には、本発明はティッシュペーパー、トイレットペーパー及びペーパータオルなどといった、身近にある紙や布等に含浸させて使用するタイプの掃除用液剤であって、家具、照明器具、家電製品、ＯＡ機器、ガラス、鏡等に付着した皮脂や手垢及び塵埃を簡便かつ良好に除去できるとともに、拭き取り後はその表面に帯電防止能を付与して、塵埃の再付着を防止することのできる掃除用液剤に関する。本発明の掃除用液剤は、金属に対しても腐食性がないため２度拭きの手間が要らず、また家具やＯＡ機器等に拭きムラや拭きとり跡、ベタつき感等を生じず優れた仕上がり性を発揮するものである。
【０００２】
【従来の技術】
最近の家屋では、壁紙、家具等の化粧合板、家電製品等の多くの素材に塩化ビニル、ポリエステル、メラミン、スチレン等の合成樹脂が用いられている。かかる合成樹脂は親油性であるため、手足からの皮脂や油性の汚れと馴染みやすく、また導電性が低いため静電気が発生して、室内の浮遊塵埃を吸着しやすい。このため時間の経過とともに次第と表面に汚れや埃が付着しやすい。また、テレビ画面やＯＡ機器ディスプレイ画面等は、静電気のため埃が付きやすく、しかも透明であるため手垢や埃等の汚れが目立ちやすい。
【０００３】
従来、屋内の床、壁、建具、家具、家電製品などに付着した手垢、塵埃または油汚れ等を簡便に除去する方法として、洗浄液を紙や布帛（織物、編み物、不織布等）の基材に含浸させたいわゆる化学雑巾でふき取る方法がよく用いられている（特開平２−１６１９２５号、米国特許第４４４８７０４号公報等参照）。また用いられる洗浄液としては、界面活性剤、流動パラフィン、植物油または脂肪酸エステル類等からなる組成物（特開昭４９−６６７０６号公報）や、水、エタノール、界面活性剤、グリコールまたはグリコールエーテル、除菌剤等からなる組成物等を挙げることができる。
【０００４】
しかしながら、かかる化学雑巾は、ディスポーザブル的に使用されるため、洗浄して再利用する手間が要らない点では便利であるが日常生活の掃除に毎日使用するにはコストが高くつき不経済である。また、これらの化学雑巾を用いた場合、ふき取った被洗浄表面に拭きムラや拭き跡が残って虹のようにギラついたり、洗浄液が残って表面がべたつくという問題があり、２度拭きや空拭きが必要となる場合がある。また、プラスチック製のものやＴＶ画面、ＯＡ機器のディスプレー画面などを掃除対象物とした場合は、特に拭き掃除した後、暫くすると再び空気中の埃等が静電気により表面に付着して、頻繁に掃除をしなくてはならないという問題がある。
【０００５】
一方、帯電防止能を付与するためにカチオン系界面活性剤を含有する掃除用洗浄剤があるが、カチオン系界面活性剤にはそれに含まれるハロゲン原子に基づいて一般に金属腐食性があるため、使用後には水ふきんや空ふきんで２度拭きしなくてはならず、その適用範囲には自ずと制限がある。
【０００６】
【発明が解決しようとする課題】
本発明は、身近にあるティッシュペーパーやトイレットペーパー、ペーパータオル等に用時含浸（塗布、噴霧等）して使用できる掃除用液剤であり、拭きムラや拭き跡及びベタツキ感を生じさせることなく掃除対象物の汚れや埃を落とし、また掃除表面に帯電防止能を付与して、塵や埃の再付着を防止することのできる掃除用液剤を提供することを目的とする。更に本発明は上記塵埃再付着性を防止する作用を有するとともに、金属に対して腐食等の影響の少ない掃除用液剤を提供することを目的とする。
【０００７】
【課題を解決するための手段】
本発明者らは、上記課題を解決すべく日夜鋭意研究を重ねたところ、第四級アンモニウム塩型のカチオン系界面活性剤とノニオン系界面活性剤とをイソパラフィン系炭化水素に配合することによって、それ自身着塵性がよく埃や汚れが有意に除去できるとともに、掃除対象物に帯電防止能を付与して塵埃の再付着を防止でき、更に金属に対しても腐食といった悪影響を与えないことを見いだした。
【０００８】
更に、本発明者らは、イソパラフィン系炭化水素として特定の蒸気圧を有するものを用いて調製した液剤が、用時ティッシュペーパー等に含浸させて用いるタイプの掃除用液剤として極めて有用であること；すなわち該液剤によれば、ティッシュペーパー等を適度に湿潤させて塵や埃を良好に吸着除去し、しかも清拭した後は対象物から速やかに蒸発して拭きムラやべとつき感を残さないことを見いだした。
【０００９】
本発明はかかる知見に基づいて完成されたものである。すなわち、本発明は下記に示される掃除用液剤である。
（１）第四級アンモニウム塩型カチオン系界面活性剤、ノニオン系界面活性剤及びイソパラフィン系炭化水素を含むことを特徴とする掃除用液剤。
（２）第四級アンモニウム塩型カチオン系界面活性剤を０．２〜５重量％、ノニオン系界面活性剤を０．５〜１０重量％及びイソパラフィン系炭化水素を８５〜９９．３重量部の割合で含有することを特徴とする（１）に記載の掃除用液剤。
（３）イソパラフィン系炭化水素が、８０℃における蒸気圧が１０〜２００ｍｍＨｇであるものである（１）又は（２）記載の掃除用液剤。
（４）イソパラフィン系炭化水素が、式
【００１０】
【化２】
0004304389.tif 000002
【００１１】
（式中、ｎは２〜４の整数を示す。）
で示されるものである、（１）乃至（３）のいずれかに記載の掃除用液剤。
（５）第四級アンモニウム塩型カチオン系界面活性剤が、モノアルキルトリメチルアンモニウム塩又はジアルキルジメチルアンモニウム塩のいずれか少なくとも１種である（１）乃至（４）のいずれかに記載の掃除用液剤。
（６）ノニオン系界面活性剤が、含窒素型ノニオン系界面活性剤である（１）乃至（５）のいずれかに記載の掃除用液剤。
（７）含窒素型ノニオン系界面活性剤が、脂肪酸アルカノールアミド又はポリオキシエチレン脂肪酸アミドのいずれか少なくとも一方に属するものである（６）に記載の掃除用液剤。
（８）さらにアルコールを含む（１）乃至（７）のいずれかに記載の掃除用液剤。
（９）アルコールが３−メトキシ−３−メチル−３−１−ブタノールである（８）記載の掃除用液剤。
（１０）第四級アンモニウム塩型カチオン系界面活性剤を０．２〜５重量％、ノニオン系界面活性剤を０．５〜１０重量％、イソパラフィン系炭化水素を７５〜９８．８重量％及びアルコールを０．５〜１０重量％の割合で含有することを特徴とする（８）又は（９）記載の掃除用液剤。
【００１２】
【発明の実施の形態】
本発明の掃除用液剤に配合されるカチオン系界面活性剤は、特に限定されるものではないが、好ましくは第四級アンモニウム塩型に属するものを挙げることができる。第四級アンモニウム塩型のカチオン系界面活性剤には、アルキル第四級アンモニウム塩、炭素以外の元素（酸素、窒素等）を含有するアルキル第四級アンモニウム塩、アルキル・ベンジル型第四級アンモニウム塩、窒素環を含有する第四級アンモニウム塩等が含まれる。
【００１３】
好ましくは、アルキルトリメチルアンモニウム塩、アルキルジメチルエチルアンモニウム塩、ジアルキルジメチルアンモニウム塩などのアルキル第四級アンモニウム塩である。なお、ここでアルキル基としては炭素数８〜１８の直鎖状又は分枝状のアルキル基を挙げることができる。
【００１４】
より好ましくは下式：
【００１５】
【化３】
0004304389.tif 000003
【００１６】
（式中、Ｒは炭素数８〜１８の直鎖若しくは分岐状のアルキル基又はアルケニル基を示す。Ｘはハロゲン原子を示す。）
で表されるモノアルキルトリメチルアンモニウム塩、及び下式：
【００１７】
【化４】
0004304389.tif 000004
【００１８】
（式中、Ｒ１及びＲ２は、同一又は異なって、炭素数８〜１８の直鎖若しくは分岐状のアルキル基又はアルケニル基を示す。Ｘはハロゲン原子を示す。）
で表されるジアルキルジメチルアンモニウム塩である。
【００１９】
これらの式中、アルキル基としては、例えばオクチル基、デシル基、ドデシル基、テトラデシル基、ヘキサデシル基、オクタデシル基等の炭素数８〜１８を有するアルキル基を挙げることができ、またアルケニル基としてはオクタデセニル基、オクタデカジエニル基等を挙げることができる。
【００２０】
本発明で用いられるカチオン系界面活性剤は、上記いずれかのアルキル基又はアルケニル基を有するモノアルキルトリメチルアンモニウム塩の混合物であるか又はジアルキルジメチルアンモニウム塩の混合物であることができ、その配合割合は、ヤシ油、大豆油、牛脂、硬化牛脂、パーム核油等の各種油脂原料に含まれる各種飽和若しくは不飽和脂肪酸に応じて定めることができる。
【００２１】
モノアルキルトリメチルアンモニウム塩として、具体的には、ステアリルトリメチルアンモニウム、セチルトリメチルアンモニウム、ラウリルトリメチルアンモニウム並びに上記式（２）中、Ｒがやし油、大豆油、牛脂、硬化牛脂、パーム核油等の油脂に含まれる脂肪酸から誘導される炭素数８〜１８の各種アルキル基又はアルケニル基である混合物を挙げることができる。好ましくは式（２）中、Ｒがやし油、大豆油又は牛脂に含まれる脂肪酸から誘導される炭素数８〜１８の各種アルキル基又はアルケニル基である混合物である。
【００２２】
やし油の主成分であるラウリン酸グリセリドの組成は、通常カプリル酸（５〜９％）、カプリン酸（６〜１０％）、ラウリン酸（４４〜５２％）、ミリスチン酸（１３〜１９％）、パルミチン酸（８〜１１％）、ステアリン酸（１〜３％）、
オレイン酸（４〜８％）及びリノール酸（２〜４％）であり、また大豆油の主成分であるグリセリドの組成は、通常パルミチン酸（７〜１１％）、ステアリン酸（２〜６％）、オレイン酸（１５〜３３％）、リノール酸（４３〜５６％）及びリノレン酸（２〜１１％）であり、牛脂の主成分であるグリセリドの組成は、通常ミリスチン酸（１〜６％）、パルミチン酸（２２〜３３％）、ステアリン酸（１８〜２６％）、オレイン酸（３５〜５５％）及びリノール酸（１〜４％）である。従って、この脂肪酸の配合割合に準じて各種モノアルキルトリメチルアンモニウム塩の配合割合を定めることができる。
【００２３】
好ましくは、表１に示される割合を挙げることができる
【００２４】
【表１】
0004304389.tif 000005
【００２５】
ジアルキルジメチルアンモニウム塩として、具体的には、ジステアリルジメチルアンモニウム、ジオレイルジメチルアンモニウム、ジドデシルジメチルアンモニウム、並びに式（３）中、Ｒ１又はＲ２が、同一又は異なって、大豆油、牛脂、硬化牛脂、パーム核油等の油脂に含まれる脂肪酸から誘導される炭素数８〜１８の各種アルキル基又はアルケニル基である混合物を挙げることができる。好ましくは式（３）中、Ｒ１又はＲ２が、牛脂または硬化牛脂に含まれる脂肪酸から誘導される炭素数８〜１８の各種アルキル基又はアルケニル基である混合物である。
【００２６】
牛脂の主成分であるグリセリドの組成は、通常ミリスチン酸（２〜８％）、パルミチン酸（２４〜３５％）、パルミトレイン酸（１〜３％）、ステアリン酸（１４〜３０％）、オレイン酸（３０〜５０％）及びリノール酸（１〜５％）である。従って、この脂肪酸の配合割合に準じてジアルキルジメチルアンモニウム塩の配合割合を定めることができる。
【００２７】
制限はされないが、好ましくは表２に示される割合を挙げることができる
【００２８】
【表２】
0004304389.tif 000006
【００２９】
また本発明においてハロゲン原子とは、塩素原子、臭素原子、ヨウ素原子を意味するが、好ましくは塩素原子を挙げることができる。
【００３０】
かかる第四級アンモニウム塩型カチオン系界面活性剤は、当業者によれば常法に従って調製することもできるが、簡便には商業的に入手することができる。例上記カチオン系界面活性剤は、本発明の掃除用液剤に、通常０．２〜５重量％、好ましくは０．５〜２重量％（有効成分換算）の割合で配合される。
【００３１】
配合量が大きくなるほど皮膚への刺激性が強くなる傾向があり、また０．１重量％を大きく下回ると持続性が充分な帯電防止効果が得られない傾向にあり、このため掃除用液剤としての実用性が低下する。
【００３２】
本発明の掃除用液剤に配合されるノニオン系界面活性剤は、特に限定されるものでなく汎用されるノニオン系界面活性剤をいずれも使用することができるが、好適には分子中に窒素原子を有する含窒素型のノニオン系界面活性剤であることが望ましい。
【００３３】
なお、含窒素型ノニオン系界面活性剤には、脂肪酸アルカノールアミド、（ポリ）オキシエチレンアルキルアミン、ポリオキシエチレン脂肪酸アミド、アルキルアミンオキサイド等が包含される。
【００３４】
ここで脂肪酸アルカノールアミドとしては、好適には下式：
【００３５】
【化５】
0004304389.tif 000007
【００３６】
（式中、Ｒ３は炭素数８〜１８のアルキル基又はアルケニル基を示す。）
で示されるジエタノールアミド型のものを挙げることができる。
【００３７】
上記式中、Ｒ３は炭素数８〜１８の直鎖状又は分岐状のアルキル基又はアルケニル基を示すが、具体的には、カプリン酸、ラウリン酸、ミリスチン酸、パルミチン酸、ステアリン酸、オレイン酸、リノール酸、リノレン酸、又はヤシ油、大豆油若しくは牛脂に含まれる各種飽和若しくは不飽和脂肪酸から誘導されるアルキル基又はアルケニル基を挙げることができる。なお、脂肪酸アルカノールアミドには、１モルのジエタノールアミンと１モルの脂肪酸とを縮合して形成される１：１型と、２モルのジエタノールアミンと１モルの脂肪酸とを縮合して形成される２：１型との２種類が含まれる。
【００３８】
好ましい脂肪酸アルカノールアミドとしては、具体的にはオレイン酸ジエタノールアミド（１：１型）、ラウリル酸ジエタノールアミド（１：１型）等を挙げることができる。
【００３９】
（ポリ）オキシエチレンアルキルアミンとしては、好適には下式：
【００４０】
【化６】
0004304389.tif 000008
【００４１】
（式中、Ｒ４は炭素数８〜１８のアルキル基又はアルケニル基を示す。ｘは０又は１以上の整数、またｙは１以上の整数を示す。但しｘ＋ｙは１〜１５である。）
で示されるモノオキシエチレン型（ｘ＝０）及びポリオキシエチレン型のものを挙げることができる。
【００４２】
ポリオキシエチレン型としては、ｘとｙとの総数が２〜１５の範囲にあるものであれば特に制限はされないが、好ましくはｘとｙとの総数が２のものである。
【００４３】
上記式中、Ｒ４は炭素数８〜１８の直鎖状又は分岐状のアルキル基又はアルケニル基を示すが、具体的にはカプリル酸、カプリン酸、ラウリン酸、ミリスチン酸、パルミチン酸、ステアリン酸、オレイン酸、リノール酸及びリノレン酸、又は、ヤシ油、大豆油若しくは牛脂に含まれる各種飽和若しくは不飽和脂肪酸から誘導されるアルキル基又はアルケニル基を挙げることができる。
【００４４】
好ましい（ポリ）オキシエチレンアルキルアミンとしては、具体的にはオキシエチレンドデシルアミン（ｘ＝０、ｙ＝１等のオキシエチレンアルキルアミン；ポリオキシエチレンドデシルアミン、ポリオキシエチレンアルキル（ヤシ）アミン等のポリオキシエチレンアルキルアミンを挙げることができ、特に好ましくは、オキシエチレンドデシルアミン、ポリオキシエチレンドデシルアミン（ｘ＋ｙ＝２）である。
【００４５】
前述の第四級アンモニウム塩型のカチオン系界面活性剤は、一般に帯電防止能を有しており帯電防止剤として使用されているが、分子内のハロゲン原子に起因して金属に腐食性をもたらすという欠点を有している。しかしながら、本発明において、かかるカチオン系界面活性剤を上記特定のノニオン界面活性剤と組み合わせることにより、更には後述するイソパラフィン炭化水素に溶解して用いることにより、帯電防止能を維持した状態で金属等に対して腐食性や錆等の影響を与えないことが判明した。
【００４６】
第四級アンモニウム塩型カチオン系界面活性剤とノニオン系界面活性剤の組み合わせは、特に制限されることなくいずれの種類をも任意に組み合わせることができる。好ましくは、モノアルキルトリメチルアンモニウムと脂肪酸アルカノールアミド又は（ポリ）オキシエチレンアルキルアミンの組みあわせ、並びにジアルキルジメチルアンモニウムと脂肪酸アルカノールアミド又は（ポリ）オキシエチレンアルキルアミンの組みあわせである。
【００４７】
なお上記ノニオン系界面活性剤は、本発明の掃除用液剤に通常０．５〜１０重量％、好ましくは２〜５重量％（有効成分換算）の割合で配合される。配合量が１０重量％を大きく越えるとベタつき感が生じる傾向にあり、また０．５重量％を大きく下回ると充分な対金属腐食性が得られない傾向にある。
【００４８】
本発明の掃除用液剤には、上記カチオン系界面活性剤及びノニオン系界面活性剤と組み合わせて、イソパラフィン系炭化水素が配合される。
【００４９】
イソパラフィン系炭化水素としては一般に溶剤として使用されるものを広く挙げることができ、特に制限されるものではないが、具体的にはＣｎＨ２ｎ＋２（ｎは４〜１６の整数を示す）で示されるものを挙げることができる。好適には炭素数（ｎ）が８〜１２の範囲にあるものである。これらは一種単独からなるものであっても、また２種以上の混合物であってもよい。
【００５０】
好ましくは下式
【００５１】
【化７】
0004304389.tif 000009
【００５２】
（式中、ｎは２〜４の整数を示す。）
で示されるものを主成分として含むものを例示することができる。かかるイソパラフィン系炭化水素は、ｎが２〜４の範囲にあるものであればよく、一種単独からなるものであっても、また２種以上の混合物であってもよい。
【００５３】
具体的には、上記炭化水素単位の３量体（ｎ＝３）及び４量体（ｎ＝４）のいずれか少なくとも一方を７０％以上、好ましくは８０％以上含むものを挙げることができ、例えば、３量体を７５〜９５重量％及び２量体を５〜２５重量％、好ましくは３量体を８５〜９０重量％及び２量体を１０〜１５重量％の割合で含むイソパラフィン系炭化水素、並びに３量体を５〜３０重量％及び４量体を７０〜９５重量％、好ましくは３量体を１５〜２０重量％及び４量体を８０〜８５重量％の割合で含むイソパラフィン系炭化水素を挙げることができる。
【００５４】
また好適なイソパラフィン系炭化水素としては、８０℃での蒸発圧が１〜５００ｍｍＨｇ、好ましくは１０〜２００ｍｍＨｇ、より好ましくは１０〜１００ｍｍＨｇ乃至は２０〜１００ｍｍＨｇであるものを例示することができる。蒸気圧がかかる範囲のイソパラフィン系炭化水素を用いることにより、ティッシュ等の基布に用時取り出して清拭掃除を行うのに適した掃除液を調製することができる。すなわち、一般に掃除用具（清拭用具）は、埃や塵等を吸着（付着）するために適度に湿潤していることが望ましい一方で、清拭された掃除対象物は拭き跡を残すことなく速やかに乾燥することが望まれる。本発明によれば、上記の蒸発圧を有するイソパラフィン系炭化水素を使用することにより、上記相反する効果を満たす用時塗布タイプの掃除用液剤を調製することができる。すなわち、上記イソパラフィン系炭化水素並びに前記特定のカチオン系界面活性剤及びノニオン系界面活性剤を含有する本発明の掃除用液剤によれば、適度な湿気を有して着塵性を保持しながらも、清拭表面に拭きムラやべとつき感を残さず拭き仕上がり感及び埃塵能力の優れた掃除用具を用時に調製することができる。同一のイソパラフィンであれば、全体に対するイソパラフィンの配合量が多いほど速やかに薬剤を乾燥させることができる。
【００５５】
本発明で用いられるイソパラフィン系炭化水素は、高度に精製されている必要はないが、掃除対象物に臭いを残さないためにも臭気が殆どないか少なく、また掃除対象物が変色や変質しないように化学的に不活性であることが好ましい。さらに皮膚や粘膜への刺激性がなく安全性の高いものであることが好ましい。また、本発明の掃除用液剤は家具等の塗装表面にも用いられることから、木材塗装膜に対して影響を与えないものであることが好ましく、かかるものとしては７０〜１００℃、好ましくは８０〜９０℃といった比較的高いアニリン点を有するイソパラフィン系炭化水素を挙げることができる（ＪＩＳ−Ｋ２２５６）。
【００５６】
イソパラフィン系炭化水素として、より簡便には商業的に入手できるイソパラフィン系炭化水素を使用することができ、
かかるイソパラフィン系炭化水素は、本発明の掃除用液剤に通常７５重量％以上の割合で配合することができ、前述するように他成分としてカチオン系界面活性剤及びノニオン系界面活性剤を含有する場合は、好ましくは８５〜９９．３重量％の範囲を挙げることができる。また、後述するように他成分として、更にアルコールを含有する場合は７５〜９８．８重量％、好ましくは８６〜９５．５重量％を挙げることができる。なお、配合量が７５重量％を大きく下回ると掃除液の乾燥に時間が長くかかる傾向にある。
【００５７】
本発明の掃除用液剤の成分には、上記成分に加えてアルコールを配合することができる。アルコールとしては、イソプロピルアルコール、エタノール等の低級アルコール；３−メトキシ−３−メチル−１−ブタノール等の高級アルコールを挙げることができるが、中でも３−メトキシ−３−メチル−１−ブタノールが好適に用いられる。かかる高級アルコールを配合することにより、第四級アンモニウム塩型カチオン系界面活性剤とイソパラフィン系炭化水素の相溶性を高めて液剤を可溶化して塩の発生を抑制して液剤成分を安定化することができる
上記高級アルコールを配合する場合、その配合割合は制限はされないが、掃除用液剤中に通常０．５〜１０重量％、好ましくは２〜７重量％の割合で配合することができる。配合割合が１０重量％を大きく越えると掃除対象物の素材によっては悪影響がある場合もあり、また０．５重量％を大きく下回ると液剤の安定性が低下する傾向がある。
【００５８】
本発明の掃除用液剤には、本発明の目的を阻害しない限り、当該商品分野で用いられる成分が配合されていてもよい。かかるものとしては、例えば殺菌剤、防腐剤、抗菌剤、防カビ剤、消臭剤、着香料、シリコン系撥水剤、洗浄剤等を例示することができる。
【００５９】
本発明の掃除用液剤は、一般に掃除用液剤に使用される容器に収容、充填して使用することができる。容器としては、特に制限されないが、その一例としては上部キャップ部分に孔が形成されており該部分から液状、霧状又は泡状にして液剤を供給するディスペンサー容器を挙げることができ、具体的にはトリガー付き容器、スクイズフォーマー容器、ポンプ式スプレー容器、ガン式スプレー容器、エアゾール容器、スクイズスプレー容器等を挙げることができる。好ましくは、経済性、環境適合性の観点及びティッシュペーパー表面に均一に吐出できることなどからポンプ式のスプレー容器、スクイズスプレー容器を挙げることができる。特に限定はされないが、好ましくは一回吐出あたり０．１〜０．６ｍｌ、より好ましくは０．４〜０．６ｍｌの液剤が塗布若しくは吐出噴霧されるように調整された容器であることが望ましい。
【００６０】
本発明の掃除用液剤は、上記のごとく容器に収容されて、使用時に身近にあるティッシュペーパー、トイレットペーパー、ペーパータオル等の使い捨て紙または乾いた布帛に、１乃至は数回吹きかけ含浸させて、それを用いて掃除対象物を拭くことによって使用される。勿論、被掃除物に直接吹き付けて、ティッシュペーパー等で塗り拡げて拭き取ることも可能であるが、液剤を均一にムラなく、経済的に使用するためには、上記の方法で用いることが好ましい。また、上記の使用法によれば、噴霧によって掃除用液剤が機械内部に入ることもない。
【００６１】
本発明の掃除用液剤は、各種の金属に対する腐食性がないか若しくは少ないことを特徴とするものである。よって防錆効果並びに耐腐食性効果をより一層上げるためには、本発明の掃除用液剤は水を実質的に含まない非水性の液剤であることが好ましい。
【００６２】
本発明の掃除用液剤は、その適用範囲を特に限定されることなく、例えば家具類、照明器具、家電製品、ＯＡ機器、サッシ、鏡、洗面台、窓ガラスなどのプラスチック、金属、ガラスなどのあらゆる素材面に適用することができる。
【００６３】
【実施例】
以下、本発明を実施例によって更に詳細に説明するが、本発明は当該実施例によって何ら制限されるものではない。尚、以下記載する％は特に断らない限り、重量％を意味する。
【００６４】
実施例１〜３２
表３〜６記載の処方からなる組成物を調製し、容量１００ｍｌのポンプ式スプレー容器（１回吐出量０．２ｍｌ）に収容し、本発明の掃除用液剤（容器入り）を調製した。また、下記実験例１及び２の比較試験用として、表７〜１４記載の処方からなる組成物を調製し、同様にポンプ式スプレー容器に収容し比較用の液剤（比較例１〜７１）を調製した。
【００６５】
実験例１
上記掃除用液剤の効果を確認するために、本発明の掃除用液剤（実施例１〜３２）及び比較用の液剤（比較例１〜７１）について以下の評価試験を行った。試験は、２０〜４９才主婦１２０名を対象としてこれらの掃除用液剤を使用してもらって（１）塵の除去効果、（２）手垢等の除去効果、（３）塵再付着防止効果（帯電防止効果）、（４）仕上がり感（ａ）拭きムラ、ｂ）ベタツキ感）、（５）皮膚への刺激性の有無、（６）乾燥速度、（７）液安定性の７項目について評価してもらうことにより実施した。これらの具体的な試験方法及び評価方法は以下の通りである。
【００６６】
（１）塵の除去効果
白色綿状パルプをフードミキサーにかけて細かくし、これを塵にみたてて黒色ＡＢＳ製のプレート（１０ｃｍ×１０ｃｍ）の上に表面が均一に白色になる様に播いた。ティッシュペーパー（約４００ｃｍ２）２枚（１組セット）を４つ折りにして掃除用液剤を４回噴霧して含浸させ、それを用いて前記プレート上の綿状パルプを拭き取り、ほこり除去効果を評価した。殆ど問題なく塵が取れた場合を○、若干塵がとれにくかった場合を△、埃が除去できず残った場合を×として評価した。
【００６７】
（２）手垢等の除去効果
人工皮脂（パルミチン酸０．７％、オレイン酸１．２％、トリパルミチン１．８％、トリオレイン３．４％、トリリノレイン０．７％、スクアラン１．７％、コレステロール０．５％、クロロホルム９０％）を混合したものを、ガラス板に０．１ｇ塗りつけて汚垢板とした。ティッシュペーパー（約４００ｃｍ２）２枚（１組セット）を４つ折りにして掃除用液剤を４回噴霧して含浸させ、それを用いて前記汚垢板をこすり、その汚れ落ち具合を観察した。殆ど完全に汚れが除去された場合を○、少し汚れが残った場合を△、汚れが殆ど除去できず残った場合を×として評価した。
【００６８】
（３）塵再付着防止効果（帯電防止効果）
ティッシュペーパー２枚を４つ折りにして掃除用液剤を４回噴霧して含浸させ、それでＴＶ画面を拭き取り掃除した。１週間後に再度拭き取り掃除して、拭き取られた汚れの程度（ティッシュペーパーの汚れの程度）から塵再付着防止効果を評価した。ティッシュペーパーが全く汚れず優れた塵再付着防止効果が認められた場合を◎、ティッシュペーパーがあまり汚れず有意に塵再付着防止効果が認められた場合を○、ティッシュペーパーは多少汚れたもののやや効果が認められた場合を△、ティッシュペーパーがかなり汚れ、効果が認められなかった場合を×として評価した。
【００６９】
（４）仕上がり感
ａ）拭きムラの有無
ティッシュペーパー２枚を４つ折りにして掃除用液剤を４回噴霧して含浸させ、それで予め７５％エタノールで掃拭しておいた鏡（１０ｃｍ×１０ｃｍ）を満遍なく拭いた。５分後、その表面を観察して拭きムラ（拭く跡）の有無を確認した。拭きムラが殆どみられない場合を○、少し拭きムラが残った場合を△、拭きムラが明らかに認められる場合を×として評価した。
【００７０】
ｂ）ベタツキ感
ティッシュペーパー２枚を４つ折りにして掃除用液剤を４回噴霧して含浸させ、それでＡＢＳ製の試験板表面（１０ｃｍ×１０ｃｍ）を満遍なく拭いた。５分後、その表面を手で触れてみて、表面のベタツキ感を評価した。表面がさらっと仕上がっている場合を○、比較的さらっとしているもののややベタツキが感じられる場合を○、ベタツキが感じられる場合を△、非常にベタツキ感が残る場合を×として評価した。
【００７１】
（５）皮膚への刺激性
上記試験での使用を通して、液剤の刺激性を評価してもらった。皮膚への刺激が全くなかった場合を◎、皮膚への刺激性がややあったが気にならなかった場合を○、刺激性がやや気になった場合を△、気になった場合を×として評価した。
【００７２】
（６）乾燥速度
上記仕上がり感の試験を通して、液剤を用いて清拭した後の対象物の乾燥の早さを評価した。清拭後、乾燥するまでかかった時間が２分以内の場合を◎、５分以内の場合を○、８分以内の場合を△、８分以上かかった場合を×としてそれぞれ評価した。
【００７３】
（７）液安定性試験
下記の方法によって本発明の掃除用液剤の安定性を調べた。
▲１▼  各処理液を５０ｍｌ／ガラスビンで準備する
▲２▼  −２０℃〜４２℃の温度サイクル条件（１２時間単位）で２ヶ月保存する
▲３▼  ２ヶ月後、目視にて液の状態を見る。
【００７４】
２ヶ月後の液が無色透明である場合を◎、液が若干着色しているが透明である場合を○、液中に若干の沈殿があるが振れば元に戻る場合を△、及び沈殿があり振っても元に戻らない場合を×として、それぞれ評価した。
【００７５】
結果を表３〜１４に併せて示す。なお結果は主婦１２０名の評価結果を総合的に判断したものである。
【００７６】
【表３】
0004304389.tif 000010
【００７７】
【表４】
0004304389.tif 000011
【００７８】
【表５】
0004304389.tif 000012
【００７９】
【表６】
0004304389.tif 000013
【００８０】
【表７】
0004304389.tif 000014
【００８１】
【表８】
0004304389.tif 000015
【００８２】
【表９】
0004304389.tif 000016
【００８３】
【表１０】
0004304389.tif 000017
【００８４】
【表１１】
0004304389.tif 000018
【００８５】
【表１２】
0004304389.tif 000019
【００８６】
【表１３】
0004304389.tif 000020
【００８７】
【表１４】
0004304389.tif 000021
【００８８】
実験例２  対金属影響試験
上記本発明の掃除用液剤（実施例１〜３２）並びに比較用の液剤（比較例１〜７１）を用いて、本発明の掃除用液剤の各種金属に対する影響を調べた。具体的には、本発明の掃除用液剤中（５０℃）に表１５に示す素材からなる金属片を１週間浸漬して、変色、錆の発生、液層の変化等を観察した。
【００８９】
【表１５】
0004304389.tif 000022
【００９０】
結果を上記表３〜１４に示す。尚、各評価は金属片に対して全く影響が見られない場合を◎、やや液剤に白沈が見られるが殆ど影響が見られない場合を○、液層の変色や錆が少々見られる場合を△、明らかに錆が生じ液に白沈が見られる場合を×として評価した。上記の結果から、本発明の掃除用液剤は上記金属に対して影響が認められず、本発明の掃除用液剤は各種の金属に対して腐食性が少ないことがわかる。
【００９１】
実験例３  帯電防止能の客観的評価
上記実験例において塵再付着防止効果（帯電防止効果）があると評価された実施例８の掃除用液剤について、それで樹脂プレート表面を清拭した後のプレート表面固有抵抗値を測定することにより、該液剤の帯電防止効果を客観的に評価した。
（１）清拭直後の帯電防止効果
実施例８の掃除用液剤を容量１００ｍｌのトリガー式スプレー（１回吐出量０．２ｍｌ）に収容した。それを用いてティッシュペーパー２枚（４つ折り）に４回スプレーして液剤を含浸させ、１０ｃｍ×１０ｃｍのＡＢＳ樹脂製プレートを１０往復清拭した。５分間放置し乾燥後、帯電防止性の指標である、清拭プレート面の表面固有抵抗値を測定した。尚、比較実験として、（ｉ）ティッシュペーパーを用いて同様に乾拭きする、（ｉｉ）ティッシュペーパーに水を液剤と同量含ませて水拭きする、（ｉｉｉ）市販品の化学雑巾（ノニオン、アニオン系界面活性剤使用）を用いて清拭する、実験を行った。
【００９２】
なお、表面固有抵抗値の測定は、ＪＩＳ  Ｋ−６９１１（１９９５）（熱硬化性プラスチック一般試験法）に準じて、２３±２℃、５０±５ＲＨ％の条件で、超絶縁計（ヒューレッドパッカード製、測定電圧５００Ｖ、荷電１分間、加重５ｋｇ）を用いて測定した。結果を表１６に示す。結果は３回の実験の平均値を示す。
【００９３】
【表１６】
0004304389.tif 000023
【００９４】
合成樹脂の表面固有抵抗値は約１０１２Ωを越えるのが普通で、通常ＡＢＳ樹脂、ポリスチレン、ポリエステル等では１０１６Ω以上であるのが一般的である。このためかかる樹脂の化粧板を有する家具や電化製品等には埃が付きやすいといった問題がある。かかる問題は帯電防止剤等を用いることによって表面固有抵抗値を１０１２Ω以下に下げることによって解決することができる。また一般に表面固有抵抗値を１０９Ω以下に下げることができれば、かなり良好な帯電防止剤であると評価される（界面活性剤ハンドブック、工学図書株式会社出版、等）。
【００９５】
上記の実験から、本発明の掃除用液剤で清拭することによって樹脂の種類に拘わらず樹脂プレート表面の固有抵抗値を１０９Ω以下に低減でき、本発明の液剤は帯電防止性にかなり優れていることがわかる。
【００９６】
（２）清拭２４時間後の帯電防止効果
実施例８の掃除用液剤について、清拭２４時間後の帯電防止効果を評価した。具体的には、ティッシュペーパー２枚（４つ折り）に液剤を４回スプレーして含浸させ、１０ｃｍ×１０ｃｍのＡＢＳ樹脂製プレート及びポリスチレン製プレートのそれぞれを１０往復清拭した。得られたプレートを２３±２℃、５０±５ＲＨ％の恒温恒湿室に２４時間放置して、その後（１）と同様の条件で各プレート表面の固有抵抗値を測定した。結果を表１７に示す。結果は３回の実験の平均値である。
【００９７】
【表１７】
0004304389.tif 000024
【００９８】
このことから、本発明の掃除用液剤は、防埃塵持続性があることがわかる。
【００９９】
（３）掃除用液剤の保存安定性（帯電防止能の安定性）
実施例８の掃除用液剤を３℃、４０℃、５０℃の温度条件、及び−２０℃〜４２℃の温度サイクル条件で２ヶ月間保存した。これを吐出容器に収容し、（２）と同様にティッシュペーパーを用いて各プレートを清拭して２４時間後の表面固有抵抗値を測定した。結果を表１８に示す。結果は３回の実験の平均値である。
【０１００】
【表１８】
0004304389.tif 000025
【０１０１】
本発明の掃除用液はいずれも目標値である１０１２Ω以下を達成し、本発明の液剤は保存においても安定して帯電防止能を維持することがわかった。
【０１０２】
【本発明の効果】
本発明の液剤は、住宅内の家具や家電機器、ＯＡ機器等の埃や汚れの除去に有効である。気軽に身近にあるティッシュペーパー等を利用して拭き取り掃除ができるので、不経済感を軽減することができる。また掃除後も、掃除対象物がべたついたり、拭き跡等がむらになったりギラツいたりしないので、清潔感があり、２度拭きや空拭きの必要がなく手間がかからない。